(57)【要約】【課題】群管理エレベータの動作確認を適切かつ容易に実施することが可能なエレベータ動作確認システムを提供する。【解決手段】一実施形態によれば、エレベータ動作確認システムは、所定の物件の複数のエレベータのかご動作を制御する群管理制御装置と、前記所定の物件にて前記エレベータの動作確認用に使用される保守端末と、複数の物件について各物件の情報を記憶する記憶装置とを備える。前記記憶装置は、各物件の情報として、各物件のエレベータの動作確認項目を定めるシナリオを記憶する記憶手段を備える。前記保守端末は、前記所定の物件の前記シナリオを前記記憶装置から取得する取得手段と、前記シナリオを前記群管理制御装置に送信する送信手段とを備える。前記群管理制御装置は、前記シナリオに基づいて前記エレベータのかご動作を制御する制御手段と、前記エレベータの状態を示す状態情報を前記保守端末に出力する出力手段とを備える。【選択図】図１
2019031369.tif 000002
【特許請求の範囲】
【請求項１】
所定の物件の複数のエレベータのかご動作を制御する群管理制御装置と、
前記所定の物件にて前記エレベータの動作確認用に使用される保守端末と、
複数の物件について各物件の情報を記憶する記憶装置とを備え、
前記記憶装置は、
各物件の情報として、各物件のエレベータの動作確認項目を定めるシナリオを記憶する記憶手段を備え、
前記保守端末は、
前記所定の物件の前記シナリオを前記記憶装置から取得する取得手段と、
前記シナリオを前記群管理制御装置に送信する送信手段とを備え、
前記群管理制御装置は、
前記シナリオに基づいて前記エレベータのかご動作を制御する制御手段と、
前記エレベータの状態を示す状態情報を前記保守端末に出力する出力手段とを備える、
エレベータ動作確認システム。
【請求項２】
前記記憶手段は、各物件の情報として、各物件のエレベータの動作が正常であるか否かの確認用に使用される正常動作確認情報を記憶し、
前記取得手段は、前記所定の物件の前記正常動作確認情報を前記記憶装置から取得し、
前記保守端末は、
前記正常動作確認情報と前記状態情報とを表示画面に表示する表示手段を備える、
請求項１に記載のエレベータ動作確認システム。
【請求項３】
前記記憶手段は、各物件の情報として、各物件のエレベータの動作が正常であるか否かの確認用に使用される正常動作確認情報を記憶し、
前記取得手段は、前記所定の物件の前記正常動作確認情報を前記記憶装置から取得し、
前記保守端末は、
前記正常動作確認情報と前記状態情報とを比較することにより、前記エレベータの動作が正常であるか否かを判定する判定手段と、
前記判定の結果を表示画面に表示する表示手段とを備える、
請求項１に記載のエレベータ動作確認システム。
【請求項４】
前記送信手段は、前記保守端末と通信可能な遠隔操作端末からの指示に基づいて、前記群管理制御装置に前記シナリオを送信し、
前記表示手段は、前記正常動作確認情報と前記状態情報とを前記遠隔操作装置の表示画面に表示する、または前記判定の結果を前記遠隔操作装置の表示画面に表示する、
請求項２または３に記載のエレベータ動作確認システム。
【請求項５】
前記記憶装置は、
前記シナリオを作成するルールを設定する設定手段と、
前記ルールに基づいて前記シナリオを作成する作成手段とを備え、
前記設定手段は、前記ルールを構成する条件が格納されるアドレスと、前記アドレスに格納される前記条件のデータとを指定することで、前記ルールを設定する、請求項１から４のいずれか１項に記載のエレベータ動作確認システム。
【請求項６】
前記作成手段は、前記シナリオをパラメータを含むように作成し、各物件のエレベータの設定を示す設定データに基づいて前記パラメータの値を決定する、請求項５に記載のエレベータ動作確認システム。
【請求項７】
所定の物件の複数のエレベータのかご動作を制御する群管理制御装置と、
前記所定の物件にて前記エレベータの動作確認用に使用される保守端末と、
複数の物件について各物件の情報を記憶する記憶装置と、
により実行されるエレベータ動作確認方法であって、
前記記憶装置が、各物件の情報として、各物件のエレベータの動作確認項目を定めるシナリオを記憶し、
前記保守端末が、前記所定の物件の前記シナリオを前記記憶装置から取得し、前記シナリオを前記群管理制御装置に送信し、
前記群管理制御装置が、前記シナリオに基づいて前記エレベータのかご動作を制御し、前記エレベータの状態を示す状態情報を前記保守端末に出力する、
ことを含むエレベータ動作確認方法。
【発明の詳細な説明】
【技術分野】
【０００１】
本発明の実施形態は、エレベータ動作確認システムおよびエレベータ動作確認方法に関する。
【背景技術】
【０００２】
複数のエレベータが同一の群管理制御装置により制御される群管理エレベータについては、複雑な群管理機能の動作確認は工場の出荷試験で行い、表示器の配線が正しいことを確認するための表示器点灯チェックは現地で行うのが一般的である。
【０００３】
例えば、点検したい表示器を現地で指定して点灯させることにより動作確認を行う方法が知られている。また、現地での動作確認の準備時間を短縮するために、動作確認を行うシナリオをあらかじめ作成しておく方法が知られている。
【先行技術文献】
【特許文献】
【０００４】
【特許文献１】特開２００１−１７１９３０号公報
【特許文献２】特開平２−２６５８８３号公報
【特許文献３】特開２００９−２１４９５３号公報
【発明の概要】
【発明が解決しようとする課題】
【０００５】
しかしながら、現場で単純な表示器点灯チェックを行うだけでは、限られた状況でしか不具合が発覚しない場合があり、群管理機能を満足していることをチェックできない場合がある。
【０００６】
例えば、群管理エレベータでは、２台のかごで１つのボタンを共有する構成を採用する場合がある（以下「２カー１ライザー」と呼ぶ）。また、群管理のかごを低層階行きと高層階行きとに分けるオペレーションがある（以下では「分割運転」と呼ぶ）。
【０００７】
分割運転中には、エントランスなどがある階（以下「基準階」と呼ぶ）で低層側のＵＰ方向のホール呼びボタンが押されたら、低層階に行きたい利用者のために、低層階に行くかごの呼びボタンのみを点灯させ、低層階行きのかごを応答させる。このとき、高層側のホール呼びボタンは点灯させない。一方、基準階で高層側のＵＰ方向のホール呼びボタンが押されたら、高層階に行きたい利用者のために、高層階に行くかごの呼びボタンのみを点灯させ、高層階行きのかごを応答させる。このとき、低層側のホール呼びボタンは点灯させない。このような制御を、系統分離呼びという。
【０００８】
２カー１ライザーで分割運転を採用する場合には、基準階のボタン配線を誤り、低層側と高層側のホールボタン間を結線してしまうと、分割運転中のみに低層側と高層側の両方の呼びが入力される。この場合、呼びボタンが全台点灯し、低層側のかごと高層側のかごの２台が応答するという不具合が発生する。本来は、低層側と高層側の片側のボタンのみが点灯し、呼び入力した側のかご１台が応答するはずである。
【０００９】
この不具合は通常運転中には発生せず、分割運転中の限られたタイミングでないと発覚しない。そのため、従来の方法のように指定したボタンの点灯確認を行うだけでは、現地でこのような配線ミスを見過ごしてしまう可能性が高い。また、上記のような動作確認を現地で行う場合には、現地での準備や設定に手間がかかって動作確認に長い時間がかかることや、作業員が正しい動作を理解していないと不具合を見過ごしてしまうことが問題となる。
【００１０】
さらに、従来の方法でシナリオをあらかじめ作成しておく場合には、シナリオで具体的にどのような項目をチェックするかが問題となり、シナリオによっては上記のような配線ミスを見過ごしてしまう可能性がある。また、シナリオの実行結果の正しさをどのように確認するかが問題となり、確認方法によっては確認者が不具合を見過ごしてしまう可能性がある。
【００１１】
そこで、本発明の実施形態は、群管理エレベータの動作確認を適切かつ容易に実施することが可能なエレベータ動作確認システムおよびエレベータ動作確認方法を提供することを課題とする。
【課題を解決するための手段】
【００１２】
一実施形態によれば、エレベータ動作確認システムは、所定の物件の複数のエレベータのかご動作を制御する群管理制御装置と、前記所定の物件にて前記エレベータの動作確認用に使用される保守端末と、複数の物件について各物件の情報を記憶する記憶装置とを備える。前記記憶装置は、各物件の情報として、各物件のエレベータの動作確認項目を定めるシナリオを記憶する記憶手段を備える。前記保守端末は、前記所定の物件の前記シナリオを前記記憶装置から取得する取得手段と、前記シナリオを前記群管理制御装置に送信する送信手段とを備える。前記群管理制御装置は、前記シナリオに基づいて前記エレベータのかご動作を制御する制御手段と、前記エレベータの状態を示す状態情報を前記保守端末に出力する出力手段とを備える。
【図面の簡単な説明】
【００１３】
【図１】第１実施形態のエレベータ動作確認システムの構成を示す模式図である。
【図２】第１実施形態におけるシナリオの例を示すフローチャートである。
【図３】第１実施形態のエレベータ動作確認システムの動作例を示すフローチャートである。
【図４】第２実施形態のエレベータ動作確認システムの構成を示す模式図である。
【図５】第２実施形態におけるシナリオセット条件の例を示す図である。
【図６】第２実施形態における入力パラメータの例を示す図である。
【図７】第２実施形態におけるシナリオの例を示すフローチャートである。
【図８】第３実施形態のエレベータ動作確認システムの構成を示す模式図である。
【図９】第３実施形態のエレベータ動作確認システムの動作例を示すフローチャートである。
【図１０】第４実施形態のエレベータ動作確認システムの構成を示す模式図である。
【図１１】第５実施形態のエレベータ動作確認システムの構成を示す模式図である。
【発明を実施するための形態】
【００１４】
以下、本発明の実施形態を、図面を参照して説明する。図１〜図１１では、同一または類似の構成に同一の符号を付し、重複する説明は省略する。
【００１５】
（第１実施形態）
図１は、第１実施形態のエレベータ動作確認システムの構成を示す模式図である。
【００１６】
図１のエレベータ動作確認システムは、エレベータ（ＥＬＶ）制御装置1a〜1dと、群管理制御装置2と、ホールボタン3a、3bと、ホールランタン4a〜4dと、保守端末5と、記憶装置6とを備えている。
【００１７】
群管理制御装置2は、制御手段の一例であるシナリオ変換部11と、出力手段の一例であるデータ送信部12とを備えている。保守端末5は、取得手段の一例であるシナリオ記憶部21と、送信手段の一例であるシナリオ実行部22と、表示手段の一例である表示部23とを備えている。記憶装置6は、記憶手段の一例であるシナリオ記憶部31と、入力部32と、シナリオ送信部33とを備えている。
【００１８】
エレベータ制御装置1a〜1dは、所定の物件に設置された４台のエレベータのかご動作を制御するために設けられている。群管理制御装置2は、エレベータ制御装置1a〜1dを介してこれらのエレベータの群管理制御を行う。以下、これらのエレベータを第１〜第４エレベータと呼ぶ。
【００１９】
ホールボタン3aは、第１および第２エレベータにより共有されており、これらのエレベータのかごを呼ぶために使用される。ホールボタン3bは、第３および第４エレベータにより共有されており、これらのエレベータのかごを呼ぶために使用される。ホールランタン4a〜4dはそれぞれ、第１〜第４エレベータに対応しており、第１〜第４エレベータのかご動作に応じて点灯する。
【００２０】
保守端末5は、作業員が上記の所定の物件を訪れて第１〜第４エレベータの動作確認を行う際に、第１〜第４エレベータの動作確認用に使用される情報端末である。保守端末5の例は、ノートＰＣ（Personal Computer）や携帯情報端末であり、作業員が上記の所定の物件を訪れる際に持参する。
【００２１】
記憶装置6は、複数の物件について各物件の情報を記憶する情報処理装置である。記憶装置6の例は、これらの物件のエレベータを保守管理する会社に設置されたＰＣやサーバである。各物件の情報の例は、各物件のエレベータの動作確認用の情報であり、例えば、後述するシナリオや正常動作確認情報である。作業員は、各物件を訪れる際に保守端末5を持参し、記憶装置6から保守端末5に情報を転送することで各物件のエレベータの動作確認を行う。
【００２２】
例えば、作業員が上記の所定の物件を訪れた際には、この物件の情報を記憶装置6から保守端末5に転送する。そして、作業員は、保守端末5から群管理制御装置2にアクセスし、記憶装置6からの情報を用いて群管理制御装置2を制御することで、第１〜第４エレベータの動作確認を行う。以下、このような動作確認の詳細について説明する。
【００２３】
シナリオ記憶部31は、各物件のエレベータの動作確認を行う際に用いられるシナリオを記憶している。シナリオとは、エレベータの種々の動作確認項目や、これらの項目の動作確認を行う手順などを、物件ごとに定めた情報である。シナリオ記憶部31はさらに、各物件のエレベータの動作が正常であるか否かの確認用に使用される正常動作確認情報を記憶している。正常動作確認情報は、エレベータの動作が正常な場合に群管理制御装置2から出力されると予想される予想データに相当する。
【００２４】
入力部32は、試験者が手動で各物件のシナリオや正常動作確認情報を入力するために設けられている。入力部32から入力されたシナリオや正常動作確認情報は、シナリオ記憶部31に記憶される。また、入力部32は、試験者が手動で各物件の仕様を入力するために用いられる。入力部32から入力された仕様は、各物件のシナリオや正常動作確認情報を自動的に設定するためや、各物件の登録済みのシナリオや正常動作確認情報を自動的に修正するために用いられる。
【００２５】
シナリオ送信部33は、各物件のシナリオや正常動作確認情報を保守端末5に送信するブロックである。シナリオ送信部33は、ある物件の情報を保守端末5から要求された場合には、その物件のシナリオや正常動作確認情報などの情報を保守端末5に転送する。また、シナリオ送信部33は、後述するように、物件を指定せずに情報を保守端末5から要求された場合には、複数の物件のシナリオや正常動作確認情報などの情報を保守端末5に転送してもよい。
【００２６】
シナリオ記憶部21は、記憶装置6からシナリオや正常動作確認情報を取得して記憶する。例えば、上記の所定の物件のエレベータの動作確認を行う際には、この物件のシナリオや正常動作確認情報が記憶装置6から取得されてシナリオ記憶部21に記憶される。
【００２７】
シナリオ実行部22は、上記の所定の物件のシナリオをシナリオ記憶部21から取得して群管理制御装置2に送信する。これにより、シナリオに沿ったエレベータの動作確認が群管理制御装置2により実行される。
【００２８】
シナリオ変換部11は、保守端末5から取得したシナリオを、エレベータ制御装置1a〜1dが実行する命令（エレベータ制御信号）に変換し、この命令をエレベータ制御装置1a〜1dに送信する。これにより、第１〜第４エレベータのかご動作がシナリオに沿って制御され、これらのエレベータの動作確認が実行される。
【００２９】
データ送信部12は、このような動作確認により第１〜第４エレベータの状態を示す状態情報を収集し、状態情報を保守端末6に出力する。状態情報の例は、各動作確認項目の動作確認を行った際の第１〜第４エレベータのかご動作の結果を示す情報である。
【００３０】
表示部23は、シナリオ記憶部21から取得した正常動作確認情報と、群管理制御装置2から取得した状態情報とを、保守端末5の表示画面に表示する。これにより、作業員は、上記の所定の物件の状態情報と正常動作確認情報とを表示画面上で比較することにより、第１〜第４エレベータが正しく動作したかどうかを確認することができる。
【００３１】
図２は、第１実施形態におけるシナリオの例を示すフローチャートである。図２のフローチャートは、２カー１ライザーの分割運転を行う場合の正誤チェックを行う方法を例を示している。
【００３２】
まず、第１〜第４エレベータに関する工場の出荷試験において、現地でしか確認できない項目を試験するためのシナリオとその正常動作確認情報とを決定する。そして、試験者は、ステップS11〜S14のシナリオと、これに対するステップR11〜R12の正常動作確認情報を、入力部32を用いて入力してシナリオ記憶部31に格納する。
【００３３】
具体的には、ステップS11では、エレベータの利用者が出勤時間帯に増加することを考慮して、出勤時間帯に分割運転を実施する。ステップS12では、すべてのかごを１０階にかご呼びで移動させ戸開させる。ステップS13では、１階（基準階）からＵＰ方向の低層階呼びを登録し、すべてのかごを戸閉させる。このシナリオでは、ステップS11〜S13の項目の動作確認が行われる（ステップS14）。なお、低層階呼びと同様に高層側呼びも動作確認の対象としてもよい。
【００３４】
このようなシナリオに沿って動作確認を行うと、エレベータの動作が正常であればステップR11〜R12に一致する動作結果が得られると予想される。ステップR11では、低層側号機のホールボタン3aが点灯し、高層側号機のホールボタン3bは点灯しない。ステップR12では、１階からのＵＰ方向の低層階呼びに低層側かごが応答する。
【００３５】
なお、図２の例では、シナリオはステップ（動作確認項目）に区切って設定される。各ステップでは、ホール呼び、かご呼び、交通パターンのセットなど、通常の群管理制御で行うオペレーションを選択して設定できる。
【００３６】
図３は、第１実施形態のエレベータ動作確認システムの動作例を示すフローチャートである。図３のフローチャートは、シナリオで設定した動作確認項目を実施する手順を示している。
【００３７】
まず、作業者は、上記の所定の物件での作業前に、記憶装置6に保存されたシナリオと正常動作確認情報を保守端末5にダウンロードする（ステップS21）。次に、作業者は、ダウンロードした情報の中に、上記の所定の物件のシナリオが登録されているか否かを判断する（ステップS22）。この物件のシナリオが登録されている場合には、ステップS23〜S26の処理を実行する。この物件のシナリオが登録されていない場合には、シナリオなしで動作確認を行う。
【００３８】
前者の場合、作業者は、この物件のシナリオを保守端末5 から群管理制御装置2に送信する（ステップS23）。この場合、保守端末5から群管理制御装置2にシナリオがステップ（動作確認項目）ごとに送信され、ステップS24〜S26の処理がシナリオのステップの個数分だけ繰り返し実行される。このようなステップの例は、図２のステップS11〜S13である。
【００３９】
まず、保守端末5は、シナリオのうちの現在実行するステップの情報を群管理制御装置2に送信する（ステップS25a）。群管理制御装置2は、このステップをエレベータ制御装置1a〜1dが実行する命令に変換して送信することで、第１〜第４エレベータの動作確認を実行する（ステップS25b）。
【００４０】
また、保守端末5は、上記の所定の物件の正常動作確認情報の中に、現在実行中のステップに対応する正常動作確認情報がある場合には、この正常動作確認情報を表示画面に表示する（ステップS25c、S25d）。
【００４１】
その後、群管理制御装置2は、現在実行中のステップに関し、第１〜第４エレベータの状態情報を保守端末5に送信する。保守端末5は、この状態情報を受信して表示画面に表示する（ステップS25e）。この際、保守端末5は、同じステップの正常動作確認情報と状態情報とを関連付けて表示することが望ましい。
【００４２】
次に、保守端末5は、現在実行中のステップの状態情報をチェックし、このステップの動作確認が群管理制御装置2で完了したかどうかを判断する（ステップS25f）。動作確認が完了されたと判断された場合には、作業者の目視確認が完了した旨が保守端末5に入力されたことを条件に、シナリオの次のステップに移行する（ステップS25g、S25i）。
【００４３】
ステップS24〜S26の処理がシナリオの全ステップ分だけ完了すると、シナリオによる動作確認が完了する。
【００４４】
ここで、図２のシナリオの流れを、図３のフローに基づいて再度説明する。
【００４５】
まず、保守端末5は、ステップS11の情報を群管理制御装置2に送信する。群管理制御装置2は、ステップS11の情報を受信して命令に変換し、この命令をエレベータ制御装置1a〜1dに送信する。これにより、出勤時の分割運転が試験として実施される。
【００４６】
次に、保守端末5は、群管理制御装置2からの状態情報から出勤時の分割運転が実行中であることを確認した後、ステップS12の情報を群管理制御装置2に送信する。群管理制御装置2は、ステップS12の情報を受信して命令に変換し、この命令をエレベータ制御装置1a〜1dに送信する。これにより、全かごに１０階へのかご呼びを登録して戸開させる試験が実施される。
【００４７】
次に、保守端末5は、群管理制御装置2からの状態情報から全かごが１０階で戸開状態となったことを確認した後、ステップS13の情報を群管理制御装置2に送信する。群管理制御装置2は、ステップS13の情報を受信して命令に変換し、この命令をエレベータ制御装置1a〜1dに送信する。これにより、１階からＵＰ方向の低層階呼びを登録して全かごを戸閉させる試験が実施される。
【００４８】
また、保守端末5は、ステップS13の情報を群管理制御装置2に送信するのに加えて、ステップR11〜R12の情報（正常動作確認情報）を表示画面に表示する。その後、保守端末5は、ステップR11〜R12に関する状態情報を群管理制御装置2から受信して、表示画面に表示する。
【００４９】
作業員は、エレベータが正しく動作したか否かを、状態情報と正常動作確認情報とを比較することで確認することができる。作業員は、状態情報と正常動作確認情報とが一致するか否かをステップごとに目視により確認し、目視確認が完了した旨を保守端末5に入力する。これにより、現在実行中のステップが終了し、次のステップを実行するフェーズに切り替わる。
【００５０】
最後に、保守端末5は、シナリオの終了を群管理制御装置2に通知して、シナリオ確認モードを終了させる（ステップS14）。
【００５１】
以上のように、本実施形態では、各物件用のシナリオを記憶装置6に登録しておき、ある物件のエレベータの動作確認を行う際にはその物件用のシナリオを保守端末5にダウンロードする。
【００５２】
これにより、動作確認の内容を工場側で決定し、現場にシナリオとして提供することが可能となる。よって、確認すべき項目を現地で作業員が見落とすことや間違えることを防止することが可能となる。また、作業員は、エレベータが正しく動作したか否かを、正常動作確認情報と状態情報との比較により簡単に判断できるため、熟練度の低い作業員が不具合を見逃す可能性を低減することができる。さらには、作業員による現地での作業時間を削減すること可能となる。
【００５３】
また、本実施形態では、シナリオや正常動作確認情報を物件ごとに記憶装置6に登録することができるため、作業員が物件ごとに異なる作業をする手間が軽減され、作業員の誤作業を減らすことが可能となる。例えば、シナリオが物件ごとに変わっても、正常動作確認情報と状態情報とを比較するという作業員の作業は複数の物件で共通であるため、作業員は物件の違いをあまり意識せずに正しい作業を行うことが可能となる。
【００５４】
よって、本実施形態によれば、群管理エレベータの動作確認を適切かつ容易に実施することが可能となる。
【００５５】
（第２実施形態）
図４は、第２実施形態のエレベータ動作確認システムの構成を示す模式図である。
【００５６】
図４の記憶装置6は、図１に示すブロックに加えて、設定手段の一例であるルール設定記憶部34を備えている。
【００５７】
ルール設定記憶部34は、各物件のシナリオを作成するためのルールを試験者が手動で記憶装置6に入力するために設けられている。入力されたルールは、ルール設定記憶部34に設定され、シナリオを作成する際に使用される。
【００５８】
例えば、上記の所定の物件（以下「物件A」と呼ぶ）用に設定されたルールは、物件Aのシナリオを作成する際に使用される。シナリオ記憶部31は、ルール設定記憶部34から物件Aのルールを取得し、物件Aのルールに基づいて物件Aのシナリオと正常動作確認情報とを作成して記憶する。シナリオ記憶部31は、作成手段の一例である。
【００５９】
図５は、第２実施形態におけるシナリオセット条件の例を示す図である。
【００６０】
図５のシナリオセット条件は、各物件のシナリオを作成する際に使用する種々の条件を記述したデータであり、上述のルールに相当する。ここでは、「分割運転あり」という条件と、「系統分離階あり」という条件が記述されている。
【００６１】
これらの条件は、図５の上部に示すような自然言語の形ではなく、実際は図５の下部に示すような論理式の形で記述される。具体的には、ルールを構成する条件が格納されるアドレスと、アドレスに格納される条件のデータとを指定する形で、シナリオセット条件が記述されている。図５は、記憶装置6のアドレスＡＡＡＡにデータＢＢ（例えば「分割運転あり」を表すデータ）が格納され、記憶装置6のアドレスＣＣＣＣにデータＤＤ（例えば「系統分離階あり」を表すデータ）が格納されることを示している。ルール設定記憶部34は、シナリオセット条件の形でルールを設定する。
【００６２】
図６は、第２実施形態における入力パラメータの例を示す図である。
【００６３】
本実施形態のシナリオは、後述するように、入力パラメータを含む形で作成される。入力パラメータは、その値が各物件の仕様に依存して変化するパラメータである。図６は、入力パラメータの例として、交通パターンに依存するパラメータＸと、系統分離の階を示すパラメータＹと、ＵＰ方向またはＤＮ方向を示すパラメータＺとを示している。
【００６４】
図７は、第２実施形態におけるシナリオの例を示すフローチャートである。
【００６５】
図７のフローチャートでは、図２のフローチャート中の一部の数値が入力パラメータに置き換えられている。例えば、図２のステップS11の「出勤時」が、ステップS31の「Ｘ時」に置き換えられている。また、図２のステップS12の「１０階」が、ステップS32の「Ｙ階」に置き換えられている。また、図２のステップS13の「ＵＰ方向」が、ステップS33の「Ｚ方向」に置き換えられている。一方、ステップS34、R31、R32はそれぞれステップS14、R11、R12と同一である。
【００６６】
本実施形態では、試験者が記憶装置6に物件Aのシナリオ用にパラメータＸ、Ｙ、Ｚの値を入力すると、物件AのシナリオのパラメータＸ、Ｙ、Ｚの値が入力された値に決定される。また、本実施形態では、保守端末5を使用する作業員が、パラメータＸ、Ｙ、Ｚの値を保守端末5で入力するようにしてもよい。
【００６７】
以上のように、本実施形態では、記憶装置6にシナリオの代わりにシナリオを作成するルールを登録しておくことで、保守端末5に各物件のシナリオを提供する。一般に、シナリオよりもルールの方がシンプルに記述できるため、本実施形態によれば試験者の負担を軽減することが可能となる。
【００６８】
また、シナリオは一般に、各物件の仕様に依存しており、物件ごとに用意して記憶装置6に登録することが多いと考えられる。一方、ルールは一般に、複数の物件で共通化できると考えられる。よって、本実施形態によれば、物件ごとにルールを用意する手間を解消することが可能となる。
【００６９】
（第３実施形態）
図８は、第３実施形態のエレベータ動作確認システムの構成を示す模式図である。
【００７０】
図８の記憶装置6は、図４に示すブロックに加えて、抽出部35を備えている。本実施形態において、ルール設定記憶部34は設定手段の一例であり、シナリオ記憶部31と抽出部35は作成手段の一例である。
【００７１】
シナリオ記憶部31は、第２実施形態と同様に、各物件のシナリオを入力パラメータを含む形で作成する。ただし、本実施形態では、抽出部35が、各物件のエレベータの設定を示す設定データに基づいて、入力パラメータの値を自動的に決定する。よって、本実施形態では、試験者が記憶装置6に入力パラメータの値の代わりにこのような設定データを入力すれば、入力パラメータの値が自動的に決定される。抽出部35は、試験者が手動で各物件の設定データを記憶装置6に入力するために設けられており、各物件の設定データから入力パラメータの値を自動的に抽出する。
【００７２】
図９は、第３実施形態のエレベータ動作確認システムの動作例を示すフローチャートである。
【００７３】
まず、上記の所定の物件（物件A）の設定データが抽出部35に入力されると、物件Aの入力パラメータを抽出する処理が開始される。
【００７４】
次に、設定データに含まれる様々な交通パターンの中から、パラメータＸに関する仕様を含む交通パターンを抽出する（ステップS41、S42）。ある交通パターンが上記仕様を含む場合には、その交通パターンについてステップS43 を実行する。ある交通パターンが上記仕様を含まない場合には、次の交通パターンの探索へ移行する。
【００７５】
パラメータＸに関する仕様を含む交通パターンに関しては、図５のシナリオセット条件が成立するか否かを判断する（ステップS43）。この条件が成立する場合には、設定データからすべての系統分離呼びを抽出し（ステップS44）、各系統分離呼びについてステップS45〜S47のループ処理を行う。
【００７６】
具体的には、これらの系統分離呼びの情報からパラメータＸ、Ｙ、Ｚの値を抽出し、抽出された値を物件Aのシナリオに適用する。これにより、パラメータＸ、Ｙ、Ｚの値が具体的に決定されたシナリオがセットされる。
【００７７】
設定データに含まれるすべての交通パターンについてステップS42〜S47の処理が完了すると、図９の処理が終了する。
【００７８】
以上のように、本実施形態では、各物件のシナリオの入力パラメータの値を、各物件の設定データに基づいて自動的に決定する。一般に、各物件のエレベータの設定には様々なものがあり、人間が各物件の様々な設定の中から入力パラメータの値を選び出すのは困難な場合がある。本実施形態によれば、入力パラメータの値は設定データを入力すれば自動的に決定されるため、試験者の負担が入力パラメータを含むシナリオにより増加することを抑制することが可能となる。
【００７９】
（第４実施形態）
図１０は、第４実施形態のエレベータ動作確認システムの構成を示す模式図である。
【００８０】
図１０の保守端末5は、図１に示すブロックに加えて、判定手段の一例であるチェック部24を備えている。
【００８１】
上述のように、保守端末5は、上記の所定の物件（物件A）のエレベータの正常動作を確認するための正常動作確認情報を記憶装置6から取得し、物件Aのエレベータの状態を示す状態情報を群管理制御装置2から取得する。第１実施形態の保守端末5は、正常動作確認情報と状態情報とを表示画面に表示するのに対し、本実施形態のチェック部24は、正常動作確認情報と状態情報とを比較することにより、物件Aのエレベータの動作が正常であるか否かを自動的に判定する。そして、本実施形態の表示部23は、この判定の結果を保守端末5の表示画面に表示する。
【００８２】
よって、第１実施形態では、物件Aのエレベータが正常動作確認情報の通りに動作したか否かを、作業員が正常動作確認情報と状態情報とを目視で比較することにより判定する必要がある。一方、本実施形態では、物件Aのエレベータが正常動作確認情報の通りに動作したか否かを、チェック部24が自動的に判定する。この場合、作業員は、チェック部24から出力された判定結果を見るだけで、エレベータが正しく動作したか否かを確認することができる。
【００８３】
ここで、本実施形態の処理を、図２のシナリオを例にして説明する。
【００８４】
ステップR11の正常動作確認情報は、呼び登録されたタイミングで、低層号機のホールボタン3aの点灯アンサーバック信号が「点灯」であり、高層号機のホールボタン3bの点灯アンサーバック信号が「消灯」である。この場合、チェック部24は、ステップS13でかごが１階からのＵＰ方向の低層階呼びに応答すると、低層かごの呼びボタンが「消灯」するかどうかをチェックする。その結果、呼びボタンの「消灯」が確認された場合には、正常動作確認情報と状態情報とが整合すると判定し、正常との判定結果が表示される。
【００８５】
なお、点灯アンサーバック信号は電気信号であるため、同信号が発信されるタイミングと、同信号が保守端末5に到達するタイミングとの間にずれが生じる。そのため、本実施形態の保守端末5は、上記の整合判定をこのずれを考慮に入れて実施する。
【００８６】
また、ステップR12の正常動作確認情報は、１階からのＵＰ方向の低層階呼びに低層側かごが応答することである。この場合、チェック部24は、１階からのＵＰ方向の低層階呼びの割当が低層側かごに出力されるかどうかをチェックする。その結果、このような割当の出力が確認されなかった場合には、正常動作確認情報と状態情報とが整合しないと判定し、異常との判定結果が表示される。
【００８７】
ただし、この例のようなチェックを行う場合には、ステップR11用に状態情報が点灯アンサーバック信号に関する情報を含んでいる必要がある。
【００８８】
以上のように、本実施形態では、正常動作確認情報と状態情報とが整合するか否かの判定結果を表示画面に表示する。よって、本実施形態によれば、エレベータが正しく動作したか否かを作業員はより容易に確認することが可能となる。
【００８９】
（第５実施形態）
図１１は、第５実施形態のエレベータ動作確認システムの構成を示す模式図である。
【００９０】
図１１のエレベータ動作確認システムは、図１０に示すブロックに加え、遠隔シナリオ実行部41と表示部42とを有する遠隔操作端末7を備えている。遠隔操作端末7は、保守端末5と通信可能な情報端末であり、例えばノートＰＣや携帯情報端末である。
【００９１】
遠隔シナリオ実行部41は、保守端末5に群管理制御装置2へのシナリオの送信を指示するブロックである。保守端末5のシナリオ実行部22は、遠隔操作端末7からこのような指示（シナリオ実行命令）を受信すると、上記の所定の物件（物件A）のシナリオをシナリオ記憶部21から取得して群管理制御装置2に送信する。
【００９２】
この場合、保守端末5の表示部23またはチェック部24は、物件Aの正常動作確認情報と状態情報とが整合するか否かの判定結果を、保守端末5の表示画面に表示せずに、遠隔操作端末7の表示画面に表示するために遠隔操作端末7に送信する。表示部42は、保守端末5からこのような判定結果を受信すると、受信した判定結果を遠隔操作端末7の表示画面に表示する。
【００９３】
本実施形態によれば、物件Aから離れた遠隔地にいる作業員が、遠隔操作端末7を使用することで、物件Aのエレベータの動作確認を行うことや、物件Aのエレベータが正しく動作したか否かを確認することが可能となる。この場合、保守端末5は、作業者が持ち運び可能なノートＰＣや携帯情報端末とする必要はなく、物件Aに常設されるＰＣその他のコンピュータとしてもよい。
【００９４】
なお、本実施形態の遠隔操作端末7は、第１から第３実施形態の保守端末5と組み合わせて使用するようにしてもよい。この場合、保守端末5の表示部23は、物件Aの正常動作確認情報と状態情報とを遠隔操作端末7に送信し、表示部42は、受信した正常動作確認情報と状態情報とを遠隔操作端末7の表示画面に表示する。なお、表示部42は、正常動作確認情報と状態情報とを受信したら、受信した正常動作確認情報と状態情報とを比較することにより、物件Aのエレベータの動作が正常であるか否かを自動的に判定してもよい。この場合、表示部42は、この判定の結果を遠隔操作端末7の表示画面に表示する。
【００９５】
以上のように、本実施形態では、保守端末5と通信可能な遠隔操作端末7を用いてエレベータの動作確認を行う。よって、本実施形態によれば、各物件用のシナリオを用いた動作確認を、作業員が現地を訪れずに実施することが可能となる。このような動作確認は例えば、少数の作業員で広範囲に分散する複数の物件を確認対象とする場合などに効果的である。
【００９６】
なお、第１から第５実施形態の説明では、エレベータのボタン、ランタン、かごなどの様々な動作について説明したが、第１から第５実施形態の制御はこれらの以外の動作にも適用可能である。例えば、これらの実施形態では分割運転の基準階ＵＰ呼びボタンについて説明したが、これらの実施形態はＤＮ呼びボタン等にも同様に適用可能である。また、これらの実施形態は例えば「ＶＩＰ呼びが入力された時に、応答時にランタンは消灯状態とする」といった仕様の現地確認にも適用することが可能である。
【００９７】
以上、いくつかの実施形態を説明したが、これらの実施形態は、例としてのみ提示したものであり、発明の範囲を限定することを意図したものではない。本明細書で説明した新規なシステムおよび方法は、その他の様々な形態で実施することができる。また、本明細書で説明したシステムおよび方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００９８】
1a、1b、1c、1d：エレベータ制御装置、2：群管理制御装置、3a、3b：ホールボタン、4a、4b、4c、4d：ホールランタン、5：保守端末、6：記憶装置、7：遠隔操作端末、11：シナリオ変換部、12：データ送信部、21：シナリオ記憶部、22：シナリオ実行部、23：表示部、24：チェック部、31：シナリオ記憶部、32：入力部、 33：シナリオ送信部、34：ルール設定記憶部、35：抽出部、41：遠隔シナリオ実行部、42：表示部
【図１】
2019031369.tif 000003
【図２】
2019031369.tif 000004
【図３】
2019031369.tif 000005
【図４】
2019031369.tif 000006
【図５】
2019031369.tif 000007
【図６】
2019031369.tif 000008
【図７】
2019031369.tif 000009
【図８】
2019031369.tif 000010
【図９】
2019031369.tif 000011
【図１０】
2019031369.tif 000012
【図１１】
2019031369.tif 000013
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
所定の物件の複数のエレベータのかご動作を制御する群管理制御装置と、
前記所定の物件にて前記エレベータの動作確認用に使用される保守端末と、
複数の物件について各物件の情報を記憶する記憶装置とを備え、
前記記憶装置は、
各物件の情報として、各物件のエレベータの動作確認項目を定めるシナリオと、各物件のエレベータの動作が正常であるか否かの確認用に使用される正常動作確認情報とを記憶する記憶手段を備え、
前記保守端末は、
前記所定の物件の前記シナリオおよび前記正常動作確認情報を前記記憶装置から取得する取得手段と、
前記シナリオを前記群管理制御装置に送信する送信手段とを備え、
前記群管理制御装置は、
前記シナリオに基づいて前記エレベータのかご動作を制御する制御手段と、
前記エレベータの状態を示す状態情報を前記保守端末に出力する出力手段とを備え、
前記保守端末はさらに、
前記正常動作確認情報と前記状態情報とを表示画面に表示する表示手段を備える、
エレベータ動作確認システム。
【請求項２】
前記送信手段は、前記保守端末と通信可能な遠隔操作端末からの指示に基づいて、前記群管理制御装置に前記シナリオを送信し、
前記表示手段は、前記正常動作確認情報と前記状態情報とを前記遠隔操作装置の表示画面に表示する、
請求項１に記載のエレベータ動作確認システム。
【請求項３】
所定の物件の複数のエレベータのかご動作を制御する群管理制御装置と、
前記所定の物件にて前記エレベータの動作確認用に使用される保守端末と、
複数の物件について各物件の情報を記憶する記憶装置とを備え、
前記記憶装置は、
各物件の情報として、各物件のエレベータの動作確認項目を定めるシナリオと、各物件のエレベータの動作が正常であるか否かの確認用に使用される正常動作確認情報とを記憶する記憶手段を備え、
前記保守端末は、
前記所定の物件の前記シナリオおよび前記正常動作確認情報を前記記憶装置から取得する取得手段と、
前記保守端末と通信可能な遠隔操作端末からの指示に基づいて、前記シナリオを前記群管理制御装置に送信する送信手段とを備え、
前記群管理制御装置は、
前記シナリオに基づいて前記エレベータのかご動作を制御する制御手段と、
前記エレベータの状態を示す状態情報を前記保守端末に出力する出力手段とを備え、
前記保守端末はさらに、
前記正常動作確認情報と前記状態情報とを比較することにより、前記エレベータの動作が正常であるか否かを判定する判定手段と、
前記判定の結果を前記遠隔操作装置の表示画面に表示する表示手段とを備える、
エレベータ動作確認システム。
【請求項４】
所定の物件の複数のエレベータのかご動作を制御する群管理制御装置と、
前記所定の物件にて前記エレベータの動作確認用に使用される保守端末と、
複数の物件について各物件の情報を記憶する記憶装置とを備え、
前記記憶装置は、
各物件の情報として、各物件のエレベータの動作確認項目を定めるシナリオを記憶する記憶手段とを備え、
前記保守端末は、
前記所定の物件の前記シナリオを前記記憶装置から取得する取得手段と、
前記シナリオを前記群管理制御装置に送信する送信手段とを備え、
前記群管理制御装置は、
前記シナリオに基づいて前記エレベータのかご動作を制御する制御手段と、
前記エレベータの状態を示す状態情報を前記保守端末に出力する出力手段とを備え、
前記記憶装置はさらに、
前記シナリオを作成するルールを設定する設定手段と、
前記ルールに基づいて前記シナリオを作成する作成手段とを備え、
前記設定手段は、前記ルールを構成する条件が格納されるアドレスと、前記アドレスに格納される前記条件のデータとを指定することで、前記ルールを設定し、
前記作成手段は、前記シナリオをパラメータを含むように作成し、各物件のエレベータの設定を示す設定データに基づいて前記パラメータの値を決定し、
エレベータ動作確認システム。
【請求項５】
所定の物件の複数のエレベータのかご動作を制御する群管理制御装置と、
前記所定の物件にて前記エレベータの動作確認用に使用される保守端末と、
複数の物件について各物件の情報を記憶する記憶装置と、
により実行されるエレベータ動作確認方法であって、
前記記憶装置が、各物件の情報として、各物件のエレベータの動作確認項目を定めるシナリオと、各物件のエレベータの動作が正常であるか否かの確認用に使用される正常動作確認情報とを記憶し、
前記保守端末が、前記所定の物件の前記シナリオおよび前記正常動作確認情報を前記記憶装置から取得し、前記シナリオを前記群管理制御装置に送信し、
前記群管理制御装置が、前記シナリオに基づいて前記エレベータのかご動作を制御し、前記エレベータの状態を示す状態情報を前記保守端末に出力し、
前記保守端末が、前記正常動作確認情報と前記状態情報とを表示画面に表示する、
ことを含むエレベータ動作確認方法。
【請求項６】
所定の物件の複数のエレベータのかご動作を制御する群管理制御装置と、
前記所定の物件にて前記エレベータの動作確認用に使用される保守端末と、
複数の物件について各物件の情報を記憶する記憶装置と、
により実行されるエレベータ動作確認方法であって、
前記記憶装置が、各物件の情報として、各物件のエレベータの動作確認項目を定めるシナリオと、各物件のエレベータの動作が正常であるか否かの確認用に使用される正常動作確認情報とを記憶し、
前記保守端末が、前記所定の物件の前記シナリオおよび前記正常動作確認情報を前記記憶装置から取得し、前記保守端末と通信可能な遠隔操作端末からの指示に基づいて、前記シナリオを前記群管理制御装置に送信し、
前記群管理制御装置が、前記シナリオに基づいて前記エレベータのかご動作を制御し、前記エレベータの状態を示す状態情報を前記保守端末に出力し、
前記保守端末が、前記正常動作確認情報と前記状態情報とを比較することにより、前記エレベータの動作が正常であるか否かを判定し、前記判定の結果を前記遠隔操作装置の表示画面に表示する、
ことを含むエレベータ動作確認方法。
【請求項７】
所定の物件の複数のエレベータのかご動作を制御する群管理制御装置と、
前記所定の物件にて前記エレベータの動作確認用に使用される保守端末と、
複数の物件について各物件の情報を記憶する記憶装置と、
により実行されるエレベータ動作確認方法であって、
前記記憶装置が、各物件の情報として、各物件のエレベータの動作確認項目を定めるシナリオを記憶し、
前記保守端末が、前記所定の物件の前記シナリオを前記記憶装置から取得し、前記シナリオを前記群管理制御装置に送信し、
前記群管理制御装置が、前記シナリオに基づいて前記エレベータのかご動作を制御し、前記エレベータの状態を示す状態情報を前記保守端末に出力する、
ことを含み、
前記記憶装置がさらに、前記シナリオを作成するルールを設定し、前記ルールに基づいて前記シナリオを作成することを含み、
前記記憶装置は、前記ルールを構成する条件が格納されるアドレスと、前記アドレスに格納される前記条件のデータとを指定することで、前記ルールを設定し、
前記記憶装置は、前記シナリオをパラメータを含むように作成し、各物件のエレベータの設定を示す設定データに基づいて前記パラメータの値を決定する、
エレベータ動作確認方法。